(57)【要約】【課題】  球発射動作を安定して行うことができる技術を提供する。【解決手段】  パチンコ機１は上皿１０内に滞留された遊技球を整列させながら順次取り込み、この取り込んだ遊技球を内部の球発射装置により打撃して遊技領域内に発射する。球発射装置は打球機構を備え、この打球機構は打球槌や打球杆、プランジャ等の可動部材を有している。可動部材の駆動源にはモータやソレノイド等が用いられており、これら駆動源と可動部材とを機構部品で連結することで球発射動作が繰り返し行われる。パチンコ機１においては、球発射装置による遊技球の発射動作が遊技の基本となるものであるため、打球機構を耐久性部品から構成することで、球発射動作を長期間にわたり安定して行うことができる。【選択図】    図１
2005204877.tif 000002
【特許請求の範囲】
【請求項１】
上皿に滞留された遊技球を順次取り込み、この取り込んだ遊技球を打撃して遊技領域に向けて発射する球発射装置を備えた遊技機において、
前記球発射装置に設けられ、所定の打撃位置で遊技球を打撃する打球機構と、
前記打球機構を作動させる駆動源と、
前記打球機構による打撃力の強さを調節するべく操作される発射ハンドルとを具備したことを特徴とする遊技機。
【発明の詳細な説明】
【技術分野】
【０００１】
本発明は、可動体の往復動を利用して遊技に関連する動作を行う遊技機に関する。
【背景技術】
【０００２】
この種の遊技機では、例えば投入された遊技媒体の取り込みと移送、遊技球の発射、賞球払出、あるいは、役物装置の作動といった各種の遊技に関連する動作（以下、「遊技関連動作」と呼称する。）が繰り返し行われている。これら遊技関連動作は、何らかの駆動源を用いて可動部材や可動部品等を動かしながら一連のメカニズムに則って機構的に実現されることが一般的である。
【０００３】
例えば、遊技媒体として遊技球を用いるパチンコ機においては、球受皿に投入された遊技球を整列させながら取り込み、その先頭から遊技球を１個ずつ切り出して球発射通路に送り込むといった球送り動作が繰り返し行われている。このような球送り動作を機構的に実現する従来技術として、弾球遊技機の球送り装置が既に知られている（例えば、特許文献１参照。）。
【０００４】
この公知の球送り装置は球切り部材を備え、この球切り部材を２つの位置（収納位置と解放位置）間で往復動させて上記の球送り動作を行うものとなっている。また公知の球送り装置は駆動源として支点型ソレノイドを備え、この支点型ソレノイドは、励磁コイルで芯材を磁化させて可動片を吸引し、また、その磁化を解いて可動片を解放することで、このときの可動片の動作に連動して球切り部材を往復動させることができる。なお、支点型ソレノイドはその本体をなすケース（支持ケース）を有し、芯材および励磁コイルはケースに収容された状態で支持されており、また可動片はケースの一部に形成された回動支点に支持されている。
【特許文献１】特開２００２−１７９７７号公報（第２−３頁、図５）
【発明の開示】
【発明が解決しようとする課題】
【０００５】
上述した公知の球送り装置は、支点型ソレノイドの本体をなすケースの一部に可動片が支持された構成であるため（公知文献１の請求項５、段落番号００１４等を参照）、可動片を動作させるときにケースと可動片との間で摩擦・摺動が発生する。このため公知の球送り装置は、支点型ソレノイドの使用を続けるうちに可動片やケースの摩耗が進行し、比較的早いうちに支点型ソレノイドが使用に耐えられなくなるおそれがある。特に、弾球遊技機では遊技球の発射が遊技関連動作のなかでも基本となるものであり、遊技機の稼働中は球送り動作を繰り返し行うために、ほとんど間断なく支点型ソレノイドを作動させておく必要がある。このような状況にあっては、遊技機の耐用期限が切れる前に支点型ソレノイドが動作不良を起こし、遊技機の稼働そのものに支障を来してしまう。
【０００６】
本発明は上記の問題点に鑑みてなされたもので、遊技関連動作を行う機構の耐久性の向上を課題としたものである。
【課題を解決するための手段】
【０００７】
（解決手段１）
上記の遊技関連動作として、例えば遊技球の発射動作が挙げられる。遊技媒体として遊技球を用いる遊技機は、上皿に滞留された遊技球を順次取り込み、この取り込んだ遊技球を打撃して遊技領域に向けて発射する球発射装置を備えている。遊技機には、球発射装置に関連して遊技球の取り込みや移送、打撃を行う可動部品が多数含まれるため、これらの耐久性を向上することで上記の課題を解決することができる。
【０００８】
（解決手段２）
このため本発明の遊技機は、所定の軸線周りに回動自在に支持された可動体を有し、この可動体を所定の第１位置と第２位置との間で往復動させて遊技に関連する動作を行う往復動機構を備える。この往復動機構は、可動体に固着して取り付けられ、その往復動に伴い可動体と一体的に動作する磁性部材と、可動体に対して第１位置または第２位置のいずれか一方の位置に向かう付勢力を与える付勢手段とをさらに有するものであり、そして本発明の遊技機は、往復動機構と別体に設けられ、磁性部材に磁力を作用させることで付勢力に抗して第１位置または第２位置のいずれか一方の位置から他方の位置へ可動体を移動させる電磁石を備えたことを特徴とする。
【０００９】
上記の往復動機構は遊技関連動作を行う主体であり、そのために２つの位置間にて往復動する可動体を有している。この可動体の駆動源となるものは電磁石であるが、電磁石は往復動機構と別体に設けられており、代わりに往復動機構において磁性部材が可動体と一体に設けられている。この場合、電磁石が可動体から分離された位置に設けられていても、その電磁力で磁性部材を吸引したり解放したりするだけで可動体に駆動力を与えることができ、それ単体では何ら可動部分を有する必要がないため、機械的な動作耐久性について特に問題となる点がない。
【００１０】
（解決手段３）
逆に機械的な動作耐久性の向上は、往復動機構そのものの性能向上によってこれを容易に実現できる。そのために上記の解決手段２において、往復動機構は可動体を回動自在に支持する軸受をさらに有する態様とすることができる。
【００１１】
このような態様であれば、可動体にシビアな動作耐久性が要求される場合であっても、その要求レベルに見合った性能を有する軸受を適切に選定するだけで容易に対応可能である。したがって、往復動機構の駆動源となる電磁石について機械的な耐久性を考慮する必要がない。
【００１２】
（解決手段４）
上記の解決手段２，３において、本発明の遊技機は複数の遊技球を整列させて一方向に案内する球案内通路と、この球案内通路内から順次所定の打球位置に送出された遊技球を発射する球発射装置とをさらに備えているものであってもよい。この場合、往復動機構は、可動体が第１位置または第２位置のいずれか一方の位置へ移動した場合に球案内通路内から遊技球を受け取り、可動体がいずれか一方の位置から他方の位置へ移動した場合に球案内通路から受け取った遊技球を打球位置に送出する球送り動作を実施することができる。
【００１３】
上述したように遊技球を用いて遊技を行う遊技機にあっては、球発射動作が遊技の基本となり、これに付随して遊技球を打球位置に位置付ける球送り動作もまた基本的な遊技関連動作となる。このような基本動作はきわめて高度数かつ高頻度で行われるため、往復動機構およびその駆動源にはきわめて高度な動作耐久性が求められる。この点、本発明では駆動源となる電磁石には機械的な耐久性の問題がないため、往復動機構における機械的な耐久性が充分であれば、長期間にわたる高度数かつ高頻度の使用にも充分耐えることができる。
【００１４】
（解決手段５）
上記の解決手段４において、往復動機構の可動体はその回動軸線を中心として拡がる本体と、この本体の一部に形成されて磁性部材が取り付けられる取付部と、本体のうち、軸線を挟んで取付部の反対側となる位置に形成され、球案内通路から遊技球を受け取って保持する球受入部とを含む態様がより好ましい。
【００１５】
この場合、可動体がいずれか一方の位置に移動したとき、その球受入部にて遊技球が受け取られ、次に可動体が他方の位置に移動したとき、球受入部にあった遊技球が送出されて打球位置に位置付けられることとなる。このとき、磁性部材は軸線を挟んで球受入部２の反対側に取り付けられているため、電磁石による磁力線の作用が球受入部にまで及びにくい構造となり、遊技球に対する電磁力の影響（磁化作用）が軽減される。
【発明の効果】
【００１６】
本発明の遊技機は、可動部品を含まない電磁石を往復動機構の駆動源に用いているため、長期間にわたり高度数で繰り返し行われる遊技関連動作にも充分に耐えることができ、機械の信頼性を大きく向上することができる。
【発明を実施するための最良の形態】
【００１７】
以下、本発明をパチンコ機に適用した一実施形態について、次に掲げる項目に沿って各対応図面を参照しながら説明する。
【００１８】
１．実施形態の概要（図１）
２．遊技関連動作
３．往復動機構（図２）
３−１．内部構成（図３）
３−２．可動体
３−２−１．球受入部（図３〜図４）
３−２−２．取付部（図４）
３−３．磁性部材
３−４．付勢手段（図５）
３−５．電磁石
３−６．軸受
３−７．回動範囲
４．動作例
４−１．第１位置，第２位置（図６）
４−２．球送り動作（図６）
５．実施形態の総括
６．より好適な実施条件
７．その他の実施形態についての言及
【００１９】
（１．実施形態の概要）
図１は、一実施形態のパチンコ機１を示している。公知のように、パチンコ機１は木製の外枠２を外形のベースとして構成され、その内側に基枠（図示していない）や前面枠４、ガラス枠６等を備えている。基枠には遊技盤８が嵌め込まれており、この遊技盤８の盤面上に遊技領域が形成されている。図１には示されていないが、遊技領域には多数の誘導釘や風車、各種入賞口、各種役物、装飾ランプ、装飾体、図柄表示装置等が配置されている。
【００２０】
その他、パチンコ機１の前面には上皿１０および下皿１２が設けられており、また前面枠４の右下隅の位置には発射ハンドル１４が設けられている。またパチンコ機１の背面には球タンクやタンクレール、裏セット、各種制御基板等（いずれも図示していない）が設けられている。
【００２１】
（２．遊技関連動作）
パチンコ機１は、例えば複数台を連ねて遊技場の島設備に設置され、通常はその台間にカードユニット（ＣＲ機の場合）が設置されている。遊技者はカードユニットにプリペイドカードを挿入し、パチンコ機１前面の貸球スイッチ（参照符号なし）を操作することで、その度数に応じた個数分の遊技球の貸出を受けることができる。なお、貸し出された遊技球はそのまま上皿１０に供給される。
【００２２】
公知のようにパチンコ機１による遊技は、貸球を上皿１０に貯留した上で発射ハンドル１４を操作し、遊技領域内に遊技球を発射することで開始される。このため遊技球の発射動作は、パチンコ機１において遊技関連動作の基本となるものといえる。上皿１０内では例えば、遊技球が一列に整列された状態で貯留されており、その先頭に位置する遊技球が発射レール上にセットされると、これを打球杆や打球槌、プランジャ等により打撃して遊技球の発射動作が行われる。このような発射動作に付随して、パチンコ機１の内部では上皿１０内から遊技球を１つずつ切り出して球発射装置に供給する動作、つまり、球送り動作が行われる。この球送り動作もまた、遊技関連動作の一部となるものである。
【００２３】
その他の遊技関連動作として、遊技の進行に伴う各種役物装置や入賞装置の作動（例えば球振分装置の作動、電動チューリップの開閉、大入賞口の開閉、羽根部材の開閉、回転体の回転等）が行われる。これら遊技関連動作もまた、所定の駆動源（ソレノイド、モータ等）を用いて機構的に実現することができる。以下では、球発射動作に付随して行われる球送り動作を一例に挙げて説明する。
【００２４】
（３．往復動機構）
図２は、パチンコ機１に内蔵されている機構要素を示している。例えば上記の前面枠４が手前側へ開放されると、その内側にある基枠１６（または内枠）が露出される。この基枠１６の裏面側に球発射装置（図示されていない）が配設されており、その上方に発射レール１８が取り付けられている。
【００２５】
球発射装置および発射レール１８を挟んで反対側、つまり、基枠１６の前面側に球送り機構２０が取り付けられている。球送り機構２０は、正面からみて矩形をなす本体ケース２２を有し、この本体ケース２２にて基枠１６に固定される。このため本体ケース２２には、その一側面部分（この例では右側面）に係止爪２２ａが形成されており、さらにその反対の側面部分には、図２中に破線で示されているように係止ピン２２ｂが形成されている。係止ピン２２ｂは本体ケース２２の左側面に沿って上下に２本形成されており、いずれも下方に突き出るようにして延びている。
【００２６】
図２には示されていないが、基枠１６の前面には係止爪２２ａを係合させるための係合突起が形成されており、また係止ピン２２ｂを受け入れるために２つの係止孔が上向きに開口して形成されている。このため球送り機構２０を基枠１６に取り付けるときは、その前面に対して本体ケース２２を斜めにした状態で左側を先に近づけ、係止孔の上方から係止ピン２２ｂを差し込む。この状態で、係止ピン２２ｂを中心に本体ケース２２を基枠１６の前面に押し付けるようにして回動させると、反対側の係止爪２２ａが係合突起に係合して本体ケース２２が固定される。
【００２７】
また図２に示されているように、本体ケース２２の前面側にはソレノイド２４が取り付けられており、このソレノイド２４は球送り機構２０の駆動源となるものである。なお図２には、本体ケース２２の内部に隠れている構成が破線で示されているほか、球送り機構２０のその他の機構部品が実線で示されているが、これらについてはさらに別図を参照しながら後述する。
【００２８】
（３−１．内部構成）
図３は、パチンコ機１の背面側からみた球送り機構２０の内部構成を示している。本体ケース２２はシェル化された構造を有し、その内部はほとんど中空で、周囲が一定肉厚を有する外周壁２２ｃに覆われたものとなっている。また本体ケース２２は背面側が開放されており、それゆえ図３では前面壁の裏面が露出されている。
【００２９】
本体ケース２２には、外周壁２２ｃの一側面部（図３では左側、正面からみて右側）に開口２２ｄが形成されており、この開口２２ｄに連なって本体ケース２２の内部に球導入路２２ｅが形成されている。球導入路２２ｅは開口２２ｄから斜め下方に延びており、その傾斜に沿って遊技球を案内することができる。なお球導入路２２ｅは、本体ケース２２の内部に形成された隔壁２２ｆによって区画されている。
【００３０】
一方、図３中に２点鎖線で示されているように、球送り機構２０の上方には球案内通路２６が配置されており、この球案内通路２６の終端部分は下方に屈曲されて本体ケース２２の開口２２ｄに連なっている。球案内通路２６は上皿１０内に形成されており、上皿１０に貯留された遊技球が球案内通路２６を通じて一列に流れてくると、遊技球はその先頭のものから順に開口２２ｄを通じて本体ケース２２内に取り込まれる。
【００３１】
（３−２．可動体）
本体ケース２２の内部には、球送り機構２０の可動体となる揺動部材２８が収容されている。揺動部材２８はほぼ円形状をなし、その中心に回動軸３０が取り付けられている。このため揺動部材２８は、その本体が回動軸３０を中心として円形状に拡がるような形態を有している。なお、回動軸３０は本体ケース２２の前面壁にて回動自在に支持されており、それゆえ揺動部材２８は本体ケース２２の内部で回動軸３０の周りに回動することができる。
【００３２】
（３−２−１．球受入部）
上記の球導入路２２ｅはその終端で揺動部材２８に接続されている。これを受けて揺動部材２８には球受入部２８ａが形成されており、球導入路２２ｅの傾斜に沿って転動してきた遊技球は、やがて球受入部２８ａ内に填り込むものとなっている。球受入部２８ａは揺動部材２８の側方にて開口し、そこから斜め下方に向けてＵ字形状（またはＪ字形状）の窪みを形成している。球受入部２８ａもまた周囲を隔壁２８ｂによって区画されており、その内側には遊技球をちょうど１個だけ受け入れ可能な大きさが確保されている。
【００３３】
図３中に２点鎖線で示されているように、球送り機構２０と発射レール１８との間に球送出口３２が形成されており、この球送出口３２もまた遊技球がちょうど１個だけ通り抜けられるだけの大きさを有している。球送出口３２は基枠１６（図３には示されていない）を貫通するようにして形成されており、それゆえ球送り機構２０から送出された遊技球は球送出口３２を通過し、そのまま発射レール１８上に供給されるものとなっている。なお、球送り機構２０による球送り動作についてはさらに後述する。
【００３４】
図４は、本体ケース２２から揺動部材２８等を分解した状態で示している。なお図４では、説明に必要なものだけを適宜選択して参照符号を付し、既に説明済みの部位・部品等については参照符号を省略している（これ以降の図面についても同様の扱いとする。）。
【００３５】
図４に示されているように揺動部材２８もまたシェル化された構造を有し、その本体の内部は基本的に中空で、周囲に一定肉厚の外周壁２８ｃが形成されている。このため上記の球受入部２８ａを区画する隔壁２８ｂは、そのまま本体の側面を区画する外周壁２８ｃに連なっている。また揺動部材２８の中央で隔壁２８ｂの一部が円柱形状に膨出しており、その中心を貫通するようにして挿通孔２８ｄが形成されている。
【００３６】
また揺動部材２８には、その本体の内側にストッパ壁２８ｅが形成されており、このストッパ壁２８ｅは外周壁２８ｃの内面から突出するようにして形成されている。このストッパ壁２８ｅに対応して、本体ケース２２の内部に規制部材２２ｇ（破線で示される）が形成されており、この規制部材２２ｇは本体ケース２２の前面壁の裏面から揺動部材２８に向かって突出している。このため揺動部材２８が本体ケース２２に対して正確に取り付けられると、規制部材２２ｇはストッパ壁２８ｅと隔壁２８ｂとの間に入り込むものとなっている。
【００３７】
（３−２−２．取付部）
さらに揺動部材２８には、本体の中心を挟んで球受入部２８ａの反対側に取付部２８ｆが形成されている。取付部２８ｆは外周壁２８ｃから中心に向かってスリット状に形成されており、その周囲は挟持壁２８ｇによって区画されている。すなわち、前面からみると挟持壁２８ｇは取付部２８ｆを取り囲むようにしてコ字形状に形成されており、その内側にできるスリット状の空間が取付部２８ｆとして規定されている。なお、この挟持壁２８ｇもまた外周壁２８ｃの一部が内側に突出することで形成されている。
【００３８】
ここで、挟持壁２８ｇはその一部が係止爪２８ｈとして形成されており、この係止爪２８ｈは揺動部材２８の本体から前面側へ突出している。図４でみて下側の挟持壁２８ｇには、係止爪２８ｈの両側に沿って２本の切欠溝２８ｉが形成されており、これら切欠溝２８ｉの間の部位が係止爪２８ｈとして規定されている。このため係止爪２８ｈは挟持壁２８ｇとは分離して上下方向に撓むことができるものとなっている。
【００３９】
（３−３．磁性部材）
揺動部材２８には、上記の取付部２８ｆに金属片３６が取り付けられる。金属片３６は例えば鉄、鋼等の磁性材料からなり、ソレノイド２４によって良好に吸引されるものであれば特に材質は限定されない。なお図４に示されているように、ソレノイド２４は本体ケース２２の前面側に取り付けられる。このため、本体ケース２２の前面側には一対の係止爪２２ｈが一体にして形成されており、ソレノイド２４はこれら係止爪２８ｈの間に挟持された状態で、本体ケース２２に固定される。また本体ケース２２には、ソレノイド２４の下縁部を支持するためにＬ字形状のブラケット２２ｉが一対をなして形成されている。
【００４０】
金属片３６は取付部２８ｆに差し込むようにして取り付けられ、この状態で挟持壁２８ｇに挟持される。金属片３６には、その中程の位置に係合孔３６ａが形成されており、金属片３６が取付部２８ｆに差し込まれると、上記の係止爪２８ｈが金属片３６の下面側から係合孔３６ａに係止される。これにより、取付部２８ｆからの金属片３６の脱落が防止される。
【００４１】
また金属片３６には、差し込み方向でみて先頭となる位置に突起３６ｂが形成されている。この突起３６ｂに対応して揺動部材２８の後壁には位置決め孔（図４には示されていない）が形成されており、金属片３６が取付部２８ｆに差し込まれると、位置決め孔に突起３６ｂが填り込む。これにより、金属片３６が揺動部材２８に対して径方向に位置決めされる。
【００４２】
前後方向でみると、揺動部材２８の厚みよりも金属片３６は前後方向に長く、このため金属片３６が取付部２８ｆに取り付けられた状態で、その前端部分は手前側へ突出する。これに対応して、本体ケース２２に挿通窓２２ｊが形成されており、実際に金属片３６が取り付けられるときは、挿通窓２２ｊを通じて金属片３６が取付部２８ｆに差し込まれる。
【００４３】
また前後方向でみて、金属片３６の一側縁には曲げ加工によりフランジ部３６ｃが形成されており、このフランジ部３６ｃの中程の位置には貫通孔３６ｄが形成されている。金属片３６の幅は取付部２８ｆよりも大きく、それゆえ金属片３６が揺動部材２８に取り付けられた状態で、フランジ部３６ｃは揺動部材２８の側方に突出する。
【００４４】
（３−４．付勢手段）
図５は、球送り機構２０を正面から示している。この図５を追加することで、金属片３６が揺動部材２８に取り付けられたときの状態やその他の位置関係等がより明らかとなる。
【００４５】
上記のように、金属片３６のフランジ部３６ｃは揺動部材２８の側方に突出しており、その貫通孔３６ｄにはコイルばね３８の一端（下端フック）が係止されている。一方、本体ケース２２の内側には挿通窓２２ｊの上方の位置に吊りブラケット２２ｋ（破線で示す）が形成されており、この吊りブラケット２２ｋにコイルばね３８の他端（上端フック）が係止されている。コイルばね３８はある程度の初期張力を与えられており、この初期張力で金属片３６を上方へ引き上げている。
【００４６】
一方、金属片３６は揺動部材２８に固定された状態でこれと一体的に回動することから、コイルばね３８の初期張力は揺動部材２８を図５中、時計回り方向へ回動させる付勢力として作用する。これにより、揺動部材２８は球受入部２８ａを下降させる回動方向に常時付勢されていることになる。
【００４７】
（３−５．電磁石）
上記のように、ソレノイド２４は本体ケース２２の前面側に取り付けられ、係止爪２８ｈの間に挟持された状態で固定されている。ソレノイド２４は揺動部材２８とは全く別体にして設けられており、その構造上、揺動部材２８をはじめ金属片３６との機構的な一体性を有する部分は含まれていない。また、ソレノイド２４は鉄芯がコイルの内側に固定されたタイプのものであり、本体ケース２２から取り外されると、それ単体の状態で何ら可動部品を有しておらず、通電によって鉄芯を磁化させる電磁石としての機能だけを有するものとなる。
【００４８】
（３−６．軸受）
上記の回動軸３０は本体ケース２２の前面壁を貫通し、その突出端部が軸受４０に支持されている。軸受４０にはすべり軸受や転がり軸受等の各種のものを使用することができる。なお軸受４０は、揺動部材２８の中心部に内蔵されている態様であってもよい。
【００４９】
（３−７．回動範囲）
本体ケース２２内では、上記のように規制部材２２ｇがストッパ壁２８ｅと隔壁２８ｂとの間に入り込むため、揺動部材２８の回動範囲（回動角度）は構造的に規制されることとなる。すなわち、揺動部材２８がその球受入部２８ａを下降させる方向（正面からみて時計回り方向）に回動する場合、ストッパ壁２８ｅが規制部材２２ｇに当接するところでそれ以上の回動は規制される。このため揺動部材２８は、コイルばね３８の付勢力によって球受入部２８ａを下降させる方向に回動しようとしているが、その回動はストッパ壁２８ｅが規制部材２２ｇに当接する位置で規制される。
【００５０】
これに対し、揺動部材２８が球受入部２８ａを上昇させる方向（正面からみて反時計回り方向）に回動する場合は、金属片３６が挿通窓２２ｊの下縁（またはソレノイド２４の鉄芯、ストッパ等でもよい）に当接するところでその以上の回動が規制される。この結果、揺動部材２８は一定角度の範囲内だけで回動可能となり、それぞれ回動が規制される２つの位置の間を往復するようにして回動、つまり、揺動できることになる。
【００５１】
（４．動作例）
以上は本実施形態で用いられる球送り機構２０の構成例であるが、次に実際の球送り機構２０の動作例を説明する。
【００５２】
（４−１．第１位置，第２位置）
図６は、球送り機構２０による球送り動作を連続的に示している。ここでは揺動部材２８の回動が規制される２つの位置を便宜上、それぞれ「球受入位置」、「球送出位置」として呼び分けるものとする。
【００５３】
具体的には図６中（ａ）に示されているように、揺動部材２８がコイルばね３８の付勢力で回動し、球受入部２８ａを下降させた状態で停止する位置を「球受入位置」と呼称する。一方、図６中（ｂ）に示されているように、ソレノイド２４に通電することで金属片３６が吸引されると、コイルばね３８の付勢力に抗して揺動部材２８が回動し、金属片３６が挿通窓２２ｊの下縁に当接する位置で停止する。このように、揺動部材２８がその球受入部２８ａを上昇させた状態で停止する位置を「球送出位置」と呼称する。
【００５４】
（４−２．球送り動作）
本実施形態の球送り機構２０は、ソレノイド２４の非通電時には揺動部材２８が球受入位置へ回動し、ソレノイド２４の通電時には揺動部材２８が球送出位置へ回動する。このため、球発射装置に同期させてソレノイド２４の通電状態・非通電状態を切り替えると、揺動部材２８が一定周期で往復回動しながら球送り動作を実施することができる。
【００５５】
具体的には、先ず図６中（ａ）に示されているように、ソレノイド２４の非通電時に揺動部材２８が球受入位置へ回動すると、球導入路２２ｅ内で先頭にあった遊技球が球受入部２８ａ内に填り込む。このとき球受入部２８ａの底面（曲面）はパチンコ機１の奥方向に向かって下り傾斜を有しているため、球受入部２８ａに填り込んだ遊技球は、その底面の傾斜に沿って転動しようとするが、このとき遊技球の転動は基枠１６の前面で規制されている。
【００５６】
次に図６中（ｂ）に示されているように、ソレノイド２４の通電時に揺動部材２８が球送出位置へ回動すると、球受入部２８ａの上昇によって遊技球が持ち上げられる。このとき遊技球は球送出口３２の下縁よりも僅かに高い位置まで持ち上げられるので、遊技球は球受入部２８ａの傾斜に沿ってパチンコ機１の奥方向（図６でみて手前の方向）へ転動し、球送出口３２を通り抜けて発射レール１８上に送出される。送出された遊技球は、図６中（ｂ）に２点鎖線で示されるように発射レール１８の始端位置（打球位置）にセットされ、この後図示しない球発射装置により打撃される。
【００５７】
一方、揺動部材２８が球送出位置へ回動している間、球導入路２２ｅに残されている遊技球は外周壁２８ｃによって堰き止められるため、遊技球が送出されて球受入部２８ａが空になったとしても、そこへ次の遊技球が進入してくることはない。
【００５８】
この後、ソレノイド２４の通電が解除されると、揺動部材２８はコイルばね３８の付勢力で回動し、球受入位置に復帰する。このとき既に球受入部２８ａ内は空になっているので、球導入路２２ｅ内で待機していた次の遊技球が球受入部２８ａ内に填り込み、再び図６中（ａ）に示されている状態になる。
【００５９】
（５．実施形態の総括）
以上のような揺動部材２８の往復回動による球送り動作を繰り返すことで、パチンコ機１において長時間にわたる連続した球発射動作がスムーズに実現される。この間、ソレノイド２４は通電状態と非通電状態とに繰り返し切り替えられているが、ソレノイド２４そのものには何ら可動部分が含まれていない。このためソレノイド２４の性能評価においては、単純に磁気回路や鉄芯等の非可動部品について電磁的な能力・耐久性を考慮するだけでよく、可動部品の機械的な動作耐久性を論じる必要はない。
【００６０】
これに対し、背景技術の欄において述べた支点型ソレノイドや、公知のフラッパ式ソレノイド（コイルケースに可動式のフラップが支持されているもの）、プランジャ式／揺動式ソレノイド（可動式のアーマチュアを有するもの）等を用いる場合は、いずれも可動部品の摩擦・摺動箇所について機械的な動作耐久性を考慮する必要がある。このため、パチンコ機１の球送り動作おいてきわめて高水準に要求される耐久性（例えば３０００万回程度）を満足しようとすると、使用するソレノイドについてもそれ相応の機械的耐久性を有する材質・部材・構造を採用しなければならない。
【００６１】
この点、本実施形態ではソレノイド２４の機械的耐久性が問題にならないため、ソレノイド２４が電磁的に充分な性能や耐久性を有するものであれば、それだけで何ら問題なく使用することができるという利点がある。
【００６２】
（６．より好適な実施条件）
以上の説明により、本発明の一実施形態による有用性が既に明らかとなっているが、さらに発明者等は以下の好ましい実施条件を提示している。
【００６３】
（１）従来品や公知のソレノイド等に比較して、ソレノイド２４の電磁力を強めに設定することが好ましい。例えば、公知のフラッパ式ソレノイドで設定されている吸引ギャップ（ストローク）に比較すると、一実施形態の構造では金属片３６が相対的に遠い位置に配置される傾向にある。このため、金属片３６に充分な吸引力を作用させるためには、ソレノイド２４にも相応のパワーを発揮させる必要がある。ただし、このような性能強化は単にソレノイド２４の仕様上の問題であって、特にそれによって消費電力が極端に増大したり、生産コストが増大したりするほどの重要な問題が生じるものではない。
【００６４】
（２）その一方で、ソレノイド２４の電磁力を強くしても、その影響が遊技球にまで大きく及ばないようにするため（例えば遊技球の磁化を防止する）、ソレノイド２４を揺動部材２８の球受入部２８ａから極力離れた位置に設置することが好ましい。例えば一実施形態で挙げた構造のように、揺動部材２８には回動軸３０を挟んで球受入部２８ａの反対側に金属片３６を設置し、さらに金属片３６を長く延ばすことで、ソレノイド２４を本体ケース２２の外側に設置しているのは上記の考え方によるものである。
【００６５】
（３）パチンコ機１において球送り機構２０には、例えば３０００万回程度の高いレベルで球送り動作に耐えられる性能が要求されているため、軸受４０には回動時の抵抗をなるべく軽減するために転がり軸受（ミニチュアベアリング等）を採用することが好ましい。もちろん、軸受４０はすべり軸受でも充分であるが、ミニチュアベアリング等を用いることでさらに耐久性や信頼性を向上させることができる。
【００６６】
（７．その他の実施形態についての言及）
以上は一実施形態についての説明であるが、本発明の実施の形態がこれに制約されることはない。以下に、その他の実施形態についていくつか例を挙げて言及する。
【００６７】
（１）一実施形態では、コイルばね３８の付勢力で揺動部材２８を一方向に付勢しておき、ソレノイド２４の吸引力でこれを逆方向に回動させる手法を採用しているが、例えば金属片３６を永久磁石片に置き換えることでコイルばね３８を省略することができる。
【００６８】
すなわち、揺動部材２８に永久磁石片（形態は金属片３６と同じでよい）が取り付けられている場合、永久磁石片の吸引力がソレノイド２４の鉄芯に作用するため、その非通電時には揺動部材２８がソレノイド２４に常時引きつけられた状態となる。この場合、永久磁石片の吸引力は、球受入部２８ａを上昇させる方向に揺動部材２８を回動させる付勢力として作用する。一方、ソレノイド２４の通電時には、その電磁力で永久磁石片を反発させることにより、球受入部２８ａを下降させる方向に揺動部材２８を回動させることができる。これにより、ソレノイド２４の通電・非通電を切り替えることで一実施形態と同様の球送り動作が実現される。このため揺動部材２８の復帰動作に用いるコイルばね３８が不要となり、それだけ機械的要素が少なくなる分、球送り機構２０の機体的耐久性のさらなる向上が期待できる。なお、この場合はソレノイド２４の通電・非通電の切り替えタイミングは一実施形態と逆パターンとなる。またソレノイド２４は、その通電時に永久磁石片を確実に反発させるため電磁極性が適切に設定されている。
【００６９】
（２）一実施形態では遊技関連動作として球送り動作を例に挙げているが、本発明はその他の遊技関連動作である各種役物装置や入賞装置の作動（例えば球振分装置の作動や電動チューリップの開閉、大入賞口の開閉、羽根部材の開閉等の往復動作を行うもの）にも適用することができる。
【００７０】
（３）揺動部材２８の形態は円形状のものに限らず、例えば回動軸３０を中心として両側に延びるシーソー形状のものであってもよいし、その他の形状であってもよい。また、一実施形態の揺動部材２８に相当する部材を金属材料で製作し、これに回動軸３０、球受入部２８ａおよび回動軸３０を一体的に形成してもよい。また、引張式のコイルばね３８に代えて圧縮コイルばねを用いてもよいし、あるいは、ねじりコイルばねを用いて揺動部材２８を付勢する態様であってもよい。
【００７１】
（４）球送り機構２０は基枠側に取り付けられる態様に限らず、前面枠側に取り付けられる態様であってもよい。この場合、例えば球送り機構２０を表裏反転させて前面枠４の裏面に取り付け、遊技球の出口を一実施形態と反対側の位置に形成すればよい。また球案内通路２６は、球送り機構２０の側方から屈曲されて開口２２ｄにつながる態様であってもよい。
【００７２】
（５）その他、一実施形態で図示とともに説明した各種部材や部品類の具体的な形状、構造、配置等はあくまで例示であり、これらは適宜変更可能である。
【図面の簡単な説明】
【００７３】
【図１】パチンコ機の正面図である。
【図２】球送り機構および発射レールの斜視図である。
【図３】球案内通路とともに球送り機構を示した背面図である。
【図４】球送り機構の分解斜視図である。
【図５】球案内通路とともに球送り機構を示した正面図である。
【図６】球送り機構の動作例を示した連続図である。
【符号の説明】
【００７４】
１    パチンコ機
１８    発射レール
２０    球送り機構
２２    本体ケース
２２ｅ  球導入路
２４    ソレノイド
２６    球案内通路
２８    揺動部材
２８ａ  球受入部
２８ｆ  取付部
３０    回動軸
３２    球送出口
３６    金属片
３８    コイルばね
４０    軸受
【図１】
2005204877.tif 000003
【図２】
2005204877.tif 000004
【図３】
2005204877.tif 000005
【図４】
2005204877.tif 000006
【図５】
2005204877.tif 000007
【図６】
2005204877.tif 000008